(57)【要約】【課題】表示パネルの支持強度を十分に確保しつつ、ベゼルなし（ベゼルレス）またはベゼル幅の狭い画像表示装置を提供する。【解決手段】筐体に内蔵されたプロジェクターから前方の表示スクリーン上に画像を投影するリアプロジェクション方式の画像表示方法であって、前記筐体の前部に光透過性部材を介して前記表示スクリーンを支持し、前方から見たとき、前記筐体および前記光透過性部材の全体を覆うように前記表示スクリーンの面積を定め、前記プロジェクターから前記表示スクリーンに向けて画像を投影したとき、前記画像に係る光線を屈折させて前記画像を前記表示スクリーンの略全面に投影させることを特徴とする画像表示方法。【選択図】図４
2016009129.tif 000002
【特許請求の範囲】
【請求項１】
表示パネルと、前記表示パネル上に画像を投影するプロジェクターと、前記プロジェクターを内蔵し、前記表示パネルの背面を覆う筐体とを備え、
前記表示パネルは、前記画像を表示する表示スクリーンと、前記プロジェクターから投影された前記画像に係る光線を透過する光透過性部材とを備え、
前記表示スクリーンは、前記光透過性部材を介して前記筐体の前部に支持され、前方から見たとき、前記筐体および前記光透過性部材の全体を覆う面積を有し、
前記光透過性部材は、前記画像に係る光線を屈折させて前記画像を前記表示スクリーンの略全面に投影させる形状および屈折率を有することを特徴とする画像表示装置。
【請求項２】
画像の歪みを補正する画像補正部をさらに備え、
前記画像補正部は、前記画像に係る光線の屈折により生じた前記画像の歪みを補正する請求項１に記載の画像表示装置。
【請求項３】
前記光透過性部材は、前記表示パネルの中心部から外周部に向かうほど背面の厚みが増す構造を有する請求項１または２に記載の画像表示装置。
【請求項４】
前記光透過性部材は、凹曲面状または凹レンズ状の形状を有する請求項３に記載の画像表示装置。
【請求項５】
請求項１ないし４のいずれか１つに記載の複数の画像表示装置を縦横方向に並べて１の大画面を構成し、前記画像を前記大画面の略全面に拡大表示させるマルチディスプレイシステム。
【請求項６】
筐体に内蔵されたプロジェクターから前方の表示スクリーン上に画像を投影するリアプロジェクション方式の画像表示方法であって、
前記筐体の前部に光透過性部材を介して前記表示スクリーンを支持し、前方から見たとき、前記筐体および前記光透過性部材の全体を覆うように前記表示スクリーンの面積を定め、前記プロジェクターから前記表示スクリーンに向けて画像を投影したとき、前記画像に係る光線を屈折させて前記画像を前記表示スクリーンの略全面に投影させることを特徴とする画像表示方法。
【発明の詳細な説明】
【技術分野】
【０００１】
この発明は、画像表示装置、マルチディスプレイシステムおよび画像表示方法、特に、リアプロジェクション方式の画像表示装置、マルチディスプレイシステムおよび画像表示方法に関する。
【背景技術】
【０００２】
現在、大画面表示装置として、複数の画像表示装置（ディスプレイ）を縦および／または横方向に並べて配置し、一つの大画面を構成するマルチディスプレイシステムが広く普及している。マルチディスプレイシステムは、大画面での迫力のある映像ゆえに遠くからでも人目を引きつける効果があるため、デパートやショップなどでのデジタルサイネージ（電子看板）等の用途に用いられている（例えば、非特許文献１および２を参照）。
【０００３】
また、内蔵プロジェクターによって表示パネル上に画像を投写する背面投射（リアプロジェクション）方式の画像表示装置においても、さまざまなマルチディスプレイシステムが提案されている（例えば、特許文献１および２を参照）。
【先行技術文献】
【特許文献】
【０００４】
【特許文献１】特開平０５−２９２４３５号公報
【特許文献２】特開２００７−２８６１４５号公報
【非特許文献】
【０００５】
【非特許文献１】"マルチサイネージ（１８面マルチディスプレイ）|シャープディスプレイソリューション ウェブショールーム"、[online]、[平成２６年６月１４日検索]、インターネット〈ＵＲＬ：http://www.sharp.co.jp/business/btob_showroom/ws/multi/multidisplay18.html〉
【非特許文献２】"PN-V601A｜インフォメーションディスプレイ｜法人のお客様へ（BtoB）：シャープ"、[online]、[平成２６年６月１４日検索]、インターネット〈ＵＲＬ：http://www.sharp.co.jp/business/lcd-display/lineup/pnv601a_feature.html〉
【発明の概要】
【発明が解決しようとする課題】
【０００６】
ところで、従来の画像表示装置は、表示パネルの外周部に額縁（ベゼル）が存在するため、これらの画像表示装置を縦横に並べて構成されたマルチディスプレイシステムは、図１に示すように、ベゼル（額縁。図１の黒い筋）によって画像が途切れたように見えるため、全体として見栄えが悪くなることがある。
【０００７】
このような問題を解決すべく、例えば、表示パネルの外周を支持するフレームの厚みを薄くするなど、ベゼル幅を狭くするさまざまな試みがなされてきた。しかしながら、フレームの厚みを薄くすると、その分、表示パネルの支持強度が弱くなるため、ベゼル幅の狭幅化には限界があった。また、表示パネルを支持するフレームの構造上、表示パネルが大型になるほど、ベゼル幅を狭くすることが困難になるという問題もある。さらに、従来の画像表示装置において、表示パネルの外周からフレームを完全に取り除いてベゼルなし（ベゼルレス）にすることは、事実上不可能であった。
【０００８】
この発明は、以上のような事情を考慮してなされたものであって、その目的は、表示パネルの支持強度を十分に確保しつつ、ベゼルのない（ベゼルレスの）またはベゼル幅の狭い画像表示装置および画像表示方法を提供することにある。
【課題を解決するための手段】
【０００９】
この発明は、表示パネルと、前記表示パネル上に画像を投影するプロジェクターと、前記プロジェクターを内蔵し、前記表示パネルの背面を覆う筐体とを備え、前記表示パネルは、前記画像を表示する表示スクリーンと、前記プロジェクターから投影された前記画像に係る光線を透過する光透過性部材とを備え、前記表示スクリーンは、前記光透過性部材を介して前記筐体の前部に支持され、前方から見たとき、前記筐体および前記光透過性部材の全体を覆う面積を有し、前記光透過性部材は、前記画像に係る光線を屈折させて前記画像を前記表示スクリーンの略全面に投影させる形状および屈折率を有することを特徴とする画像表示装置を提供するものである。
また、この発明は、筐体に内蔵されたプロジェクターから前方の表示スクリーン上に画像を投影するリアプロジェクション方式の画像表示方法であって、前記筐体の前部に光透過性部材を介して前記表示スクリーンを支持し、前方から見たとき、前記筐体および前記光透過性部材の全体を覆うように前記表示スクリーンの面積を定め、前記プロジェクターから前記表示スクリーンに向けて画像を投影したとき、前記画像に係る光線を屈折させて前記画像を前記表示スクリーンの略全面に投影させることを特徴とする画像表示方法を提供するものである。
【発明の効果】
【００１０】
この発明によれば、プロジェクターを内蔵した筐体の前部に光透過性部材を介して表示スクリーンを支持し、前方から見たとき、前記筐体および前記光透過性部材の全体を覆うように前記表示スクリーンの面積を定め、前記プロジェクターから投影された画像に係る光線を屈折させて前記画像を表示スクリーンの略全面に投影させることにより、表示パネルの支持強度を十分に確保しつつ、ベゼルなし（ベゼルレス）またはベゼル幅の狭い画像表示装置および画像表示方法を実現できる。
【図面の簡単な説明】
【００１１】
【図１】従来の画像表示装置を縦横方向に２つずつ並べて構成されたマルチディスプレイシステムの正面図である。（従来技術）
【図２】この発明の実施形態１に係る画像表示装置の概略構成を示す説明図である。（実施形態１）
【図３】図２の画像表示装置の正面図である。（実施形態１）
【図４】図３の画像表示装置のＢ−Ｂ'矢視断面図である。（実施形態１）
【図５】図４の画像表示装置のＣ−Ｃ'部分拡大図である。（実施形態１）
【図６】図２の画像表示装置を縦横方向に２つずつ並べて構成されたマルチディスプレイシステムの正面図である。（実施形態１）
【図７】図６のマルチディスプレイシステムのＤ−Ｄ'矢視断面図である。（実施形態１）
【図８】従来のリアプロジェクション方式のマルチディスプレイシステムの図７対応図である。（従来技術）
【図９】この発明の実施形態２に係る画像表示装置の図４対応図である。（実施形態２）
【図１０】図９の画像表示装置のＥ−Ｅ'部分拡大図である。（実施形態２）
【図１１】図９の画像表示装置を縦横方向に２つずつ並べて構成されたマルチディスプレイシステムの図７対応図である。（実施形態２）
【図１２】この発明の画像表示装置の図４対応図である。（実施形態３）
【図１３】図１２の画像表示装置のＦ−Ｆ'部分拡大図である。（実施形態３）
【図１４】図９の画像表示装置を縦横方向に２つずつ並べて構成されたマルチディスプレイシステムの図７対応図である。（実施形態３）
【図１５】この発明の実施形態４に係る画像表示装置を縦横方向に２つずつ並べて構成されたマルチディスプレイシステムの図７対応図である。（実施形態４）
【図１６】この発明の実施形態５に係る画像表示装置を縦横方向に２つずつ並べて構成されたマルチディスプレイシステムの図７対応図である。（実施形態５）
【発明を実施するための形態】
【００１２】
以下、図面を用いてこの発明をさらに詳述する。なお、以下の説明は、すべての点で例示であって、この発明を限定するものと解されるべきではない。
【００１３】
また、図面は模式的なものであり、この発明の特徴を説明する便宜上、各図面の寸法および比率は、実際の画像表示装置の寸法および比率とは大きく異なることがある。また、同様の理由から、各図面間においても寸法および比率が異なることがある。それゆえ、画像表示装置の実際の寸法および比率については、図面による説明の他、画像表示装置の技術分野における当業者の技術常識も参酌すべきである。
【００１４】
（実施形態１）
＜この発明の画像表示装置１０の構成＞
図２〜図５に基づき、この発明の実施形態１に係る画像表示装置１０の構成について説明する。
図２は、この発明の実施形態１に係る画像表示装置１０の概略構成を示す説明図である。図３は、図２の画像表示装置１０の正面図である。図４は、図３の画像表示装置１０のＢ−Ｂ'矢視断面図である。図５は、図４の画像表示装置１０のＣ−Ｃ'部分拡大図である。
【００１５】
図２に示すように、この発明の画像表示装置１０は、プロジェクター１１、表示パネル１２および筐体１４を備える。
図２において、筐体１４の表示パネル１２が配置されている部分（方向または側）を前部（前方または正面側）、筐体１４のプロジェクター１１が配置されている部分（方向または側）を後部（後方または背面側）とする。
【００１６】
以下、図２に示す各構成要素を説明する。
プロジェクター１１は、図示しない投写レンズから表示パネル１２に向けて投写光１３を投写し、表示スクリーン１２１に画像を投影する部分である。プロジェクター１１の光源としては、ＲＧＢ（赤、青、緑）３原色のＬＥＤやレーザー光等の光源が用いられる。
また、プロジェクター１１は、表示パネル１２に表示される画像の歪みを補正する画像補正機能を有する。また、画像表示装置１０を縦横方向に複数個並べて構成されるマルチディスプレイシステム１の大画面全体に、画像を拡大して表示するマルチディスプレイ表示機能を有するものであってもよい。
【００１７】
表示パネル１２は、プロジェクター１１から投写された投写光１３に係る画像を表示する部分であり、表示スクリーン１２１および光透過性部材１２２を備える。
表示パネル１２の表示方式は、ブラウン管、ＬＣＤ（透過型液晶）、ＬＣＯＳ（反射型液晶）およびＤＬＰ（Digital Light Processing）のいずれの方式であってもよい。
【００１８】
筐体１４は、プロジェクター１１を内部に収納し、表示パネル１２の背面を覆って支持する部分である。
なお、図２その他の図において、プロジェクター１１の支持部材、接続端子および接続ケーブルなどの本願発明の特徴と関連の薄い部分は省略されている。
【００１９】
また、この発明の画像表示装置１０は、上に述べた構成の他、プロジェクター１１と表示パネル１２との間の投写光１３の経路上に少なくとも１つの反射ミラーや凹凸のレンズを備えるものであってもよい。
【００２０】
図２に示すように、プロジェクター１１の投写レンズから表示パネル１２に向けて投写された投写光１３は、図２の矢印の経路１３０で囲まれた領域内を通って表示スクリーン１２１上に到達する。投写光１３は、表示スクリーン１２１の背面に当たると結像し、図３に示すように、表示スクリーン１２１上に画像が表示される。
【００２１】
図４に示すように、光透過性部材１２２は、表示スクリーン１２１の背面側に接合され、また、筐体１４の側壁前部に係合支持される。ただし、筐体１４の側壁前部は、表示スクリーン１２１の外周部１２３に向かう投写光１３の経路１３０を遮断しないように、表示スクリーン１２１から離れて配置される。
【００２２】
表示スクリーン１２１は、プロジェクター１１から投写された投写光１３を結像するスクリーンである。
【００２３】
光透過性部材１２２は、表示スクリーン１２１を支持するのに十分な強度を有し、高い透過率を有する部材である。また、光透過性部材１２２は、入射した投写光１３を屈折し、表示スクリーン１２１の略全面に表示させる屈折率を有する材料からなる。
光透過性部材１２２としては、例えば、メタクリレート樹脂、ＰＭＭＡ（ポリメチルメタクリレート）樹脂などのアクリル樹脂、ＰＣ（ポリカーボネート）樹脂、または無機ガラスなどの強度が強く、かつ、透明性の高い材料が挙げられる。
また、光透過性部材１２２の屈折率としては、約１．０〜４．０、好ましくは、約１．５〜２．０である。
【００２４】
また、プロジェクター１１から投写された投写光１３の経路のうち、最外部の経路１３０に着目すると、図４および図５に示すように、経路１３０は、光透過性部材１２２への入射時に表示スクリーン１２１の中心部に向かう方向に屈折し、最終的に表示スクリーン１２１の外周部１２３に到達する。
【００２５】
また、屈折による画像の歪みを防止すべく、プロジェクター１１は投写光１３を投写する前に、画像補正機能により予め画像を補正しておく。
【００２６】
＜この発明のマルチディスプレイシステム１の構成＞
次に、図６および図７に基づき、この発明のマルチディスプレイシステム１の構成について説明する。
図６は、図２の画像表示装置１０を縦横方向に２つずつ並べて構成されたマルチディスプレイシステム１の正面図である。図７は、図６のマルチディスプレイシステム１のＤ−Ｄ'矢視断面図である。
【００２７】
図６に示すように、図２に示す画像表示装置１０を縦横方向に並べることによって表示スクリーン１２１の間の境界および外周部にベゼル１５が存在しないマルチディスプレイシステム１を実現できる。
【００２８】
図７に示すように、正面側から見たとき、表示スクリーン１２１は、筐体１４および光透過性部材１２２の全体を覆い、また、プロジェクター１１から投写された投写光１３が表示スクリーン１２１の略全面に到達するため、筐体１４および光透過性部材１２２は、図６に示すように、視聴者の目に映らず、表示スクリーン１２１の略全面に画像が表示される。
【００２９】
なお、図７においては、画像表示装置１０を縦横方向に２つずつ並べたマルチディスプレイシステム１について説明したが、縦横方向に３つ以上並べたマルチディスプレイシステム１についても同様である。
【００３０】
＜従来のリアプロジェクション方式のマルチディスプレイシステム２の構成＞
次に、比較例として、図８に基づき、従来のリアプロジェクション方式のマルチディスプレイシステム２の構成について説明する。
図８は、従来のリアプロジェクション方式のマルチディスプレイシステム２の図７対応図である。
【００３１】
図８に示すように、従来のリアプロジェクション方式のマルチディスプレイシステム２において、表示パネル（表示スクリーン１２１）に向けてプロジェクター１１から投写光１３が投写される。
また、ベゼル１５は、表示パネル１２の外周部１２３に設けられ、筐体１４の側壁前部と接合することによって、表示パネル１２を筐体１４に固定支持する部分である。このように、従来のマルチディスプレイシステム２においては、表示パネル１２を支持する構造上、表示パネル１２の外周部１２３からベゼル１５を完全に取り除くことができないという問題があった。
【００３２】
一方、この発明の画像表示装置１０は、図７に示すように、筐体１４の側壁前部に光透過性部材１２２を介して表示スクリーン１２１を支持し、投写光１３が表示スクリーン１２１の略全面に投写されるように、光透過性部材１２２の厚みおよび種類（屈折率）が調整される。このようにして、この発明は、従来の画像表示装置２０とは違って、表示スクリーン１２１の支持強度を十分に確保しつつ、ベゼル１５のない（ベゼルレスの）画像表示装置１０を実現できる。
【００３３】
（実施形態２）
次に、図９〜図１１に基づき、この発明の実施形態２に係る画像表示装置１０およびマルチディスプレイシステム１の構成について説明する。
図９は、この発明の実施形態２に係る画像表示装置１０の図４対応図である。図１０は、図９の画像表示装置１０のＥ−Ｅ'部分拡大図である。図１１は、図９の画像表示装置１０を縦横方向に２つずつ並べて構成されたマルチディスプレイシステム１の図７対応図である。
【００３４】
図９および図１０に示すように、この発明の実施形態２に係る画像表示装置１０は、筐体１４の側壁前端部が、光透過性部材１２２の切り欠き部１２４の形状と係合する形状を有する。
【００３５】
画像表示装置１０は、このような構造を有することにより、表示パネル１２を安定して保持することができ、また、実施形態１と比べて、厚みのある筐体１４の側壁を用いることができる。それゆえ、大型の表示パネル１２を用いた場合においても、表示パネル１２の十分な支持強度を確保しつつ、ベゼル１５のない（ベゼルレスの）画像表示装置１０を実現できる。
【００３６】
また、図１１に示すように、この発明の実施形態２に係る画像表示装置１０を縦横方向に２つずつ並べることにより、大型の表示パネル１２を用いた場合においても、表示パネル１２の十分な支持強度を確保しつつ、ベゼル１５のない（ベゼルレスの）マルチディスプレイシステム１を実現できる。
【００３７】
（実施形態３）
次に、図１２〜図１４に基づき、この発明の実施形態３に係る画像表示装置１０およびマルチディスプレイシステム１の構成について説明する。
図１２は、この発明の画像表示装置１０の図４対応図である。図１３は、図１２の画像表示装置１０のＦ−Ｆ'部分拡大図である。図１４は、図１２の画像表示装置１０を縦横方向に２つずつ並べて構成されたマルチディスプレイシステム１の図７対応図である。
【００３８】
図１２および図１３に示すように、この発明の実施形態３に係る画像表示装置１０は、光透過性部材１２２の背面がコーナー部（外周部１２３の近傍）において凹曲面状に形成されている。
また、光透過性部材１２２に入射した投写光１３が、表示スクリーン１２１の略全面に投写されるように、光透過性部材１２２の形状および種類（屈折率）が調整される。
【００３９】
このような構造を有することにより、光透過性部材１２２の全体の厚みを薄くしてコストダウンおよび軽量化を実現し、また、表示スクリーン１２１上に投影される画像の歪みを小さくすることができる画像表示装置１０を実現できる。
また、光透過性部材１２２の後端部が、筐体１４の側壁前部の切り欠き部１２４と係合する形状を有するため、表示パネル１２を安定して保持することができ、さらに、厚みのある筐体１４を用いることができる。
【００４０】
それゆえ、大型の表示パネル１２を用いた場合においても、表示パネル１２の十分な支持強度を確保しつつ、ベゼル１５のない（ベゼルレスの）画像表示装置１０を実現できる。
また、プロジェクター１１から表示スクリーン１２１までの距離を短くすることができるため、画像表示装置１０の厚みを小さくすることもできる。
【００４１】
また、図１４に示すように、この発明の実施形態２に係る画像表示装置１０を縦横方向に２つずつ並べることにより、大型の表示パネル１２を用いた場合においても、表示パネル１２の十分な支持強度を確保しつつ、ベゼル１５のない（ベゼルレスの）マルチディスプレイシステム１を実現できる。
【００４２】
（その他の実施形態）
１．実施形態１および２において、図１５に示すように、プロジェクター１１の前方に凹レンズ１６を設け、投写光１３が表示スクリーン１２１の略全面に投写されるように、光透過性部材１２２の厚みおよび屈折率を調整してもよい。（実施形態４）
【００４３】
このようにすれば、プロジェクター１１から表示スクリーン１２１までの距離を短くすることができるため、表示パネル１２の十分な支持強度を確保しつつ、ベゼル１５がなく（ベゼルレスであり）、かつ、厚みの薄い画像表示装置１０およびマルチディスプレイシステム１を実現できる。
【００４４】
２．実施形態３において、図１６に示すように、光透過性部材１２２の背面全体の形状を凹レンズ状にしてもよい。（実施形態５）
【００４５】
このようにすれば、光透過性部材１２２の加工が容易になり、画像表示装置１０の製造コストを下げることができる。また、投写光１３の屈折による画像の補正も容易になる。
【００４６】
３．実施形態１〜３において、表示スクリーン１２１にベゼル１５を設けるものであってもよい。（実施形態６）
【００４７】
このようにすれば、ベゼル１５のない（ベゼルレスの）画像表示装置１０およびマルチディスプレイシステム１に限らず、ベゼル１５が設けられた画像表示装置１０およびマルチディスプレイシステム１においても、表示パネル１２の支持強度を十分に確保しつつ、ベゼル幅の狭い画像表示装置１０およびマルチディスプレイシステム１を実現できる。
【００４８】
この場合、ベゼル幅としては、例えば、約０〜１０ｍｍ、好ましくは、約０〜５ｍｍ程度である。
【００４９】
以上に述べたように、
（ｉ）この発明の画像表示装置は、表示パネルと、前記表示パネル上に画像を投影するプロジェクターと、前記プロジェクターを内蔵し、前記表示パネルの背面を覆う筐体とを備え、前記表示パネルは、前記画像を表示する表示スクリーンと、前記プロジェクターから投影された前記画像に係る光線を透過する光透過性部材とを備え、前記表示スクリーンは、前記光透過性部材を介して前記筐体の前部に支持され、前方から見たとき、前記筐体および前記光透過性部材の全体を覆う面積を有し、前記光透過性部材は、前記画像に係る光線を屈折させて前記画像を前記表示スクリーンの略全面に投影させる形状および屈折率を有することを特徴とする。
また、この発明の画像表示方法は、筐体に内蔵されたプロジェクターから前方の表示スクリーン上に画像を投影するリアプロジェクション方式の画像表示方法であって、前記筐体の前部に光透過性部材を介して前記表示スクリーンを支持し、前方から見たとき、前記筐体および前記光透過性部材の全体を覆うように前記表示スクリーンの面積を定め、前記プロジェクターから前記表示スクリーンに向けて画像を投影したとき、前記画像に係る光線を屈折させて前記画像を前記表示スクリーンの略全面に投影させることを特徴とする。
【００５０】
この発明において、「画像表示装置」は、内蔵のプロジェクターによって表示パネル上に画像を投写する背面投射（リアプロジェクション）方式の画像表示装置である。
「前記表示スクリーンは、前記光透過性部材を介して前記筐体の前部に支持され」は、筐体が表示スクリーンを直接支持するのではなく、光透過性部材を間にはさんで表示スクリーンを間接的に支持することである。
このように、表示スクリーンと筐体とは直接接触せず、表示スクリーンと筐体との間に光透過性部材のみが存在する領域があるため、表示スクリーンの外周部に向かう画像に係る光線の経路を筐体が遮断することがない。
「前方から見たとき、前記筐体および前記光透過性部材の全体を覆う面積を有し」は、表示パネルを正面から見たとき、筐体および光透過性部材が表示スクリーンの背後に隠れるため、視聴者の目に映らない。
「前記画像に係る光線を屈折させて前記表示スクリーンの略全面に投影させる」は、外周部にベゼル（額縁）のない表示スクリーンの全面に画像が投影される場合のほか、外周部にベゼルが設けられた表示スクリーンに画像が投影される場合も含まれる。
【００５１】
さらに、この発明の好ましい態様について説明する。
（ii）この発明による画像表示装置において、画像の歪みを補正する画像補正部をさらに備え、前記画像補正部は、前記画像に係る光線の屈折により生じた前記画像の歪みを補正するものであってもよい。
【００５２】
このようにすれば、プロジェクターから投影すべき画像を画像補正部によって予め補正することにより、プロジェクターから投影された画像に係る光線が光透過性部材に入射した際に屈折した後も、歪みのない画像を表示スクリーンに表示することができる。
【００５３】
「画像の歪み」は、画像に係る光線が光透過性部材に入射した際の屈折によって生じた画像の歪みである。
「画像補正部」は、屈折による画像の歪みを補正する部分であり、プロジェクターが備えたものに限らず、画像表示装置の外部の装置によって画像を補正するものであってもよい。
また、投写される光線の波長（色）の違いによって屈折率が異なる場合は、色の違いに応じた画像の補正をおこなう。
【００５４】
（iii）この発明による画像表示装置において、前記光透過性部材は、前記表示パネルの中心部から外周部に向かうほど背面の厚みが増す構造を有するものであってもよい。
【００５５】
このようにすれば、光透過性部材の中心部の厚みを薄くすることができるため、画像表示装置の軽量化およびコストダウンを実現することができる。
【００５６】
（iv）この発明による画像表示装置において、前記光透過性部材は、凹曲面状または凹レンズ状の形状を有するものであってもよい。
【００５７】
このようにすれば、光透過性部材の加工が容易になり、画像表示装置のコストダウンを実現することができ、また、画像に係る光線の屈折による画像の歪みの補正も容易になる。
【００５８】
（ｖ）複数の前記画像表示装置を縦横方向に並べて１の大画面を構成し、前記画像を前記大画面の略全面に拡大表示させるマルチディスプレイシステムであってもよい。
【００５９】
このようにすれば、表示パネルの支持強度を十分に確保しつつ、ベゼルのない（ベゼルレスの）またはベゼル幅の狭いマルチディスプレイシステムを実現できる。
【００６０】
「大画面」は、複数の画像表示装置を縦横方向に並べた全体を一つの画面と見なしたときの表現である。
【００６１】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味及び前記範囲内でのすべての変形とが含まれるべきである。
【符号の説明】
【００６２】
１：マルチディスプレイシステム、    ２：従来のマルチディスプレイシステム、    １０：画像表示装置、    １１：プロジェクター、    １２：表示パネル、    １３：投写光、    １４：筐体、    １５：ベゼル、    １６：凹レンズ、    ２０：従来の画像表示装置、    １２１：表示スクリーン、    １２２：光透過性部材、    １２３：外周部、    １２４：切り欠き部、    １３０：経路
【図１】
2016009129.tif 000003
【図２】
2016009129.tif 000004
【図３】
2016009129.tif 000005
【図４】
2016009129.tif 000006
【図５】
2016009129.tif 000007
【図６】
2016009129.tif 000008
【図７】
2016009129.tif 000009
【図８】
2016009129.tif 000010
【図９】
2016009129.tif 000011
【図１０】
2016009129.tif 000012
【図１１】
2016009129.tif 000013
【図１２】
2016009129.tif 000014
【図１３】
2016009129.tif 000015
【図１４】
2016009129.tif 000016
【図１５】
2016009129.tif 000017
【図１６】
2016009129.tif 000018